Podtech/llm-jp-corpus-v4-ja_patent huggingface dataset:
(57)【要約】      （修正有）【課題】理美容用鋏の刃身の接触面に摩耗止めとして使用している摩耗部材が経年変化等の状況で刃身から離脱、分離することを防止できる理美容用鋏を提供する。【解決手段】一方の刃身１１又は１２の接触面とこれに対応する他方の接触面の接触による摩擦止めのため、前記刃身の枢軸部のねじ１３の下端部に異形Ｕ字溝を加工形成し、この溝内部に摩耗防止部材１４を圧入、接着等して理美容用鋏を構成する。【選択図】図２
0003152870.tif 000002
【実用新案登録請求の範囲】
【請求項１】
１１ａ、１２ｂの刃部を有する刃身１１、１２を所定位置の枢軸部をねじ１３にて回動可能になるよう固定してなる理美容用鋏において、一方の刃身１１の接触面１１ｂとこれに対応する他方の接触面１２ｂの接触による摩擦止めのため、前記刃身１２の枢軸部のねじ１３の下端部１１ｃにこれの全幅Ｗ、長さＬ、深さｔを有し、さらにこの底面の左右にＬ１、Ｌ２のえぐりを部有する異形Ｕ字溝１１ｄを加工形成し、この溝１１ｄ内部に摩耗防止部材を圧入、接着等で固定してなる理美容用鋏。
【考案の詳細な説明】
【技術分野】
【０００１】本考案は、理髪店や美容院で用いられる理美容用鋏のの改良に関する。
【背景技術】
【０００２】業界で一般に普及されている理美容用鋏は、例えば、図１のように刃体１、２の基部に形成している平部４、５を枢軸３によって回動自在に枢着し、この平部４、５の後方部に互いに摺接する接点６、７を形成してなる鋏であって、少なくとも一方の刃体１の接点６部分に他方の刃体２の接点７にする摺接する表面が平滑な箇所に凹溝８を形成しこの中に耐摩耗性硬質材料からなる触片９を埋設してなるものが公知とされている。【０００３】しかしながら、この構造のものでは接触部分で次のような問題点がある。
刃体１の平滑な箇所に形成している凹溝８の中にある耐摩耗性硬質材料は、刃体１と２の回動の繰り返しにより、又は、長時間の使用によって生じる摩擦による摩耗で刃体の切れ味が悪くなる前に経時、経年変化あるいは油  脂等で劣化し、凹溝の中から離脱したり、剥離する。
【考案の開示】
【考案が解決しようとする課題】
【０００４】本考案は上述の問題点を除去するためになされたものであり、一方の刃身の接触面とこれに対応する他方の接触面の接触による摩擦止めのため、前記刃身の枢軸部ねじの下端部に異形Ｕ字溝を加工形成し、この溝内部に摩耗防止部材を圧入、接着等してなる理美容用鋏の提供を目的としたものである。
【課題を解決するための手段】
【０００５】本考案は従来の理美容用鋏の刃体の平滑な箇所に形成している凹溝の形状を異形状加工することにより課題を解決するもので、１１ａ、１２ｂの刃部を有する刃身１１、１２を所定位置の枢軸部を，ねじ１３にて回動可能になるよう固定してなる理美容用鋏において、一方の刃身１１の接触面１１ｂとこれに対応する他方の接触面１２ａの接触による摩擦止めのため、前記刃身１２の枢軸部のねじ１３の下端部１１ｃにこれの前幅Ｗ、長さＬ、深さｔを有し、さらにこの底面の左右にＬ１、Ｌ２のえぐり部を有する異形Ｕ字溝１１ｄを加工形成し、この溝１１ｄ内部に摩耗防止部材を圧入、接着等で固定してなる理美容用鋏である。
【考案の効果】
【０００６】異形Ｕ字溝１１ｄ内に圧入、接着された摩耗防止部材は、この溝の底面の左右に加工形成したＬ１、Ｌ２のえぐり部に係止固着され離脱及び剥離等はなく良好となる。
【考案を実施するための最良の方法】
【０００７】以上のように本考案の理美容用鋏では、頻繁に繰り返す回動操作による衝撃で生じる摩擦による指の疲労も軽減されるとともに摩耗防止材のすべり効果で快適な理美容行為を行える。
【実施例】
【０００８】以下、本考案の一実施例を説明すると次のようである。
図２は本考案の理美容用鋏の異形Ｕ字溝１１ｄの位置を示す斜視図である。この溝の位置は、刃身１１、１２を枢軸部をねじ１３で回動する下端部１１ｃの平坦部の所定の箇所に加工される。【０００９】図３は本考案の理美容用鋏の異形Ｕ字溝の断面図で、これを具体的に説明すると次のようである。
Ｗは、刃身１２下端部の刃身幅寸法（前図２に図示）、Ｌは、刃身１２溝の長さの寸法、ｔは、刃身１２の厚み寸法、Ｌ１、Ｌ２は、溝底部左右のえぐり部の寸法であり、一実施例においては、この溝の形状で製作されており、機械加工上、問題はない。【００１０】また、異形Ｕ字溝１１ｄ内には摩耗防止部材である樹脂等が圧入、接着された時には左右の底面に加工されたえぐり部にこれらが完全に充填されることから刃身１２に一体化され容易に離脱、剥離することがない。
【図面の簡単な説明】
【００１１】
【図１】従来の理美容用鋏の斜視図
【図２】本考案の理美容用鋏の異形Ｕ字溝の位置を示す斜視図
【図３】本考案の理美容用鋏の異形Ｕ字溝の寸法断面図
【符号の説明】
【００１２】１１、１２  刃身
１３  ねじ
１４  摩耗防止部材
【図１】
0003152870.tif 000003
【図２】
0003152870.tif 000004
【図３】
0003152870.tif 000005
【手続補正書】
【提出日】平成21年3月11日(2009.3.11)
【手続補正１】
【補正対象書類名】実用新案登録請求の範囲
【補正対象項目名】全文
【補正方法】変更
【補正の内容】
【実用新案登録請求の範囲】
【請求項１】
刃部（１１ａ），（１２ａ）を有する刃身（１１），（１２）を所定位置の枢軸部をねじ（１３）にて回動可能になるように固定してなる理美容鋏において、一方の刃身（１１）の接触面（１１ｂ）とこれに対応する他方の接触面（１２ｂ）の接触による摩擦止めのため、前記刃身（１１）と（１２）を重ねて密着させた後、回動する枢軸部のねじ（１３）の刃身（１１）の下端部（１１ｃ）に、全幅（Ｗ）、長さ（Ｌ）、深さ（ｔ）を有し、さらにこの底面の左右の下端部（１１ｃ）にえぐり部（Ｌ１）、（Ｌ２）を有する異形Ｕ字溝（１１ｄ）を加工形成し、この溝（１１ｄ）内部に樹脂等の摩耗防止部材を圧入、接着等で固定したことを特徴とする理美容鋏。
【手続補正書】
【提出日】平成21年5月26日(2009.5.26)
【手続補正１】
【補正対象書類名】実用新案登録請求の範囲
【補正対象項目名】全文
【補正方法】変更
【補正の内容】
【実用新案登録請求の範囲】
【請求項１】
刃部（１１ａ）、（１２ｂ）を有する刃身（１１）、（１２）を所定位置の枢軸部をねじ（１３）にて回動可能になるよう固定してなる理美容鋏において、一方の刃身（１１）の接触面（１１ｂ）とこれに対応する他方の刃身（１２）の接触面（１２ｂ）の接触による摩擦止めのため、前記一方の刃身（１１）と前記他方の刃身（１２）を重ねて密着させた後、回動する枢軸部のねじ（１３）の一方の刃身（１１）の下端部（１１ｃ）に、全幅（Ｗ）、長さ（Ｌ）、深さ（ｔ）を有し、さらにこの底面の左右の下端部（１１ｃ）にえぐり部（Ｌ１）、（Ｌ２）を有する異形Ｕ字溝（１１ｄ）を加工形成し、この溝（１１ｄ）内部に樹脂等の摩耗防止部材を圧入、接着等で固定してなる理美容鋏。
(57)【要約】      （修正有）【課題】アーム部分を自動的に上下できる構造の畝立補助用具を提供する。【解決手段】アーム５を、ピン８で取り付け、可倒式とし、管理機のハンドル１に取り付けたチェーン６でアーム５を吊り下げたことを特徴とする。アーム５が上下する事により、簡単でスムーズな作業が行える。【選択図】図２
0003152867.tif 000002
【実用新案登録請求の範囲】
【請求項１】
倍土器の取り付けヒッチ部２の遊び（ガタ）を利用し、アーム部５を自動的に上下する構造の畝立て補助具。
【考案の詳細な説明】
【技術分野】
【０００１】農業用の歩行用管理機で畑に畝立て作業をする場合、均等でスムーズな畝立て作業が出来るようにした補助用具である。
【背景技術】
【０００２】従来、歩行用管理機で畝立て作業を行う場合  畝幅の設定は、ほとんど作業者の経験と勘に頼って行われていた。
【考案の開示】
【考案が解決しようとする課題】
【０００３】均等な畝立てを行うために目印をつける補助用具が必要となるが  構造上  横に張り出しており、旋回する場合や畑の隅などで畑面や周りの障害物に引っ掛かり、作業がしづらいという難点があった。
また、アームの部分が折りたためる構造であっても、旋回の度に手動でたたまなければならないという煩わしさがあった。
本考案は、このような難点を解消するためになされたものである。
【課題を解決するための手段】
【０００４】培土器の取り付けヒッチ部分２には構造上若干の遊び（ガタ）が生じている。この遊び（ガタ）により、培土器３が下がるその力を利用し、チェーン６によりアーム５が引き上げられる構造である。
【考案の効果】
【０００５】従来、作業者の経験と勘に頼っていた畝立て作業が楽に簡単にできるようになった。
難点であった旋回時の取り回しも、アームが跳ね上がる事によりスムーズな旋回が出来るようになった。
【実施例】
【０００６】図２・図３の様にアーム５を左右に張り出し、その先端部で圃場の土面に線を引いて畝幅の目印とする構造とした。
アーム５はピン８によって支持され、ロープ・ワイヤー等７を引く事により上方に折りたたむ事が出来る。図５
また、旋回時に管理線のハンドル１を持ち上げることにより、ヒッチ部２の遊び（ガタ）のため  培土器３が若干下がる。
その力を利用して、ハンドルから吊り下げられたチェーン６によってアーム５が引き上げられる。図４
次の畝に旋回移動し、管理機のハンドル１を下げると培土器３が持ち上がり、アーム５先端が下がり、連続作業を容易にした。
【図面の簡単な説明】
【０００７】
【図１】  管理機の側面図
【図２】  管理機の斜視図
【図３】  本考案の作動図
【図４】  本考案の作動図
【図５】  本考案の作動図
【符号の説明】
【０００８】  １          管理機のハンドル
２          管理機のヒッチ部
３          培土器
４          本考案の取り付け部
５          アーム
６          チェーン
７          ワイヤー、ロープ等
８          ピン
【図１】
0003152867.tif 000003
【図２】
0003152867.tif 000004
【図３】
0003152867.tif 000005
【図４】
0003152867.tif 000006
【図５】
0003152867.tif 000007
【手続補正書】
【提出日】平成20年12月16日(2008.12.16)
【手続補正１】
【補正対象書類名】実用新案登録請求の範囲
【補正対象項目名】全文
【補正方法】変更
【補正の内容】
【実用新案登録請求の範囲】
【請求項１】
培土器の取り付けヒッチ部２の遊び（ガタ）により上下する培土器の力を利用しチェーン６で吊られた部分を支点としてアーム５が上下する構造の畝立補助具。
【手続補正書】
【提出日】平成21年4月15日(2009.4.15)
【手続補正１】
【補正対象書類名】実用新案登録請求の範囲
【補正対象項目名】全文
【補正方法】変更
【補正の内容】
【実用新案登録請求の範囲】
【請求項１】
（イ）アーム５を  ピン８で取り付け、可倒式とする。
（ロ）管理機のハンドル１に取り付けたチェーン６でアーム５を吊り下げる。
以上の構成からなる畝立補助具。
(57)【要約】      （修正有）【課題】ゴルフのパッティングを正確に行うため、パッティングストロークを縦振り子運動にするための矯正機具に使用するシャフトクランプを提供する。【解決手段】円弧断面の部分を持つクランプと、円弧断面を持つ一枚の半方位締め付け金具で挟んだパターシャフトＣをネジで締めることによりシャフトを全方位から包むように締め付けることでガイド棒Ｂに挟むフィンを確実にパターに取り付けることを特徴とする。【選択図】図１
0003152866.tif 000002
【実用新案登録請求の範囲】
【請求項１】
本考案は考案者が平成５年１月１２日にパッティングストローク矯正用練習具として特許出願したＰＯ５０１１２１を改良したパッティングストローク矯正機の申請である。当時特許出願したときには本考案と同様の２脚と２本のガイド棒に挟まれた動物顔形のフィンが本考案と同様の効果を得るものであったが、ガイド棒に挟むフィンを各ゴルファーが使用するパターのシャフトに確実に取り付ける方法がなかったために、改良された取り付け方法を申請するものである。
【考案の詳細な説明】
【技術分野】
【０００１】ゴルフのパッティングを正確に行うため、パッティングストロークを縦振り子運動にするための矯正機具に使用するシャフトクランプの考案である。
【背景技術】
【０００２】従来ゴルフのパッティングストロークはドライバーやアイアンのフルスイングと同様に打ち出す目標に対し円弧であると信じられてきたが、両肩の真ん中に当たる胸骨を地面と水平に設定すること、グリップを肩の真下に設定することで、地面に対し縦振り子運動を行うことが可能となる。その結果打ち出す目標に対しパターフェース面が常に目標を向いたパッティングストロークが可能になり、グリーン上で多くのゴルファーが経験する引っ掛けや押し出しを無くす事が可能となる技術の考案である。
【考案の開示】
【考案が解決しようとする課題】
【０００３】殆どのゴルファーは打ち出す目標に真っ直ぐにパッティングを行っている積りでいるが、実際は円弧ストロークでパッティングを行っているために引っ掛け、押し出しと呼ばれるミスを行うことが多くあった。
【課題を解決するための手段】
【０００４】両肩の真ん中に当たる胸骨を地面と水平に設定すること、グリップを肩の真下に設定することで、地面に対し縦振り子運動を行うことが可能となる。しかし正確にそのパッティングストロークを行うことが中々困難で、プロゴルファーでさえ頻繁にミスを犯すのが現実である。そのために２本のガイド棒の間に同じ幅で平行に設けられた直線スリットの間にパターに取り付けたフィンを挿入しパッティンスストロークを行うことにより、打ち出す目標に対しパターフェース面が常に目標を向いたパッティングストロークを習得できる。
【考案の効果】
【０００５】打ち出す目標に対しパターフェース面が常に目標を向いたパッティングストロークを行うことにより意図した方向へのボールの転がりが可能な為カップインする確立が大きく向上し、パッティングに要するスコアを激減させることが出来る。
【考案を実施するための最良の形態】
【０００６】二つの脚部に設けられた等間隔の二つの穴に２本の丸いガイド棒を差し込むことで出来る平行な直線スリットの間に、パターに取り付けたフィンを挿入しパッティンスストロークを行うことで、縦振り子運動に必要な体のセッティング、ストロークのイメージ、体の動かし方が習得できる。
【実施例】
【０００７】二つの脚部に設けられた等間隔の二つの穴に２本の丸棒を差し込むことで出来る平行な直線スリットの間に、パターフェース面に対し直角に取り付けたフィンを挿入し、パッティンスストロークを行う。【０００８】フィンをパターシャフトに取り付けるために円弧断面の部分を持ったクランプと、円弧断面を持った一枚の半方位締め付け金具で挟んだパターシャフトを、ひとつのネジで締め付けることによりシャフトを全方位から包むように締め付けることが出来、シャフトに確実にフィンを取り付けることができる。
【産業上の利用可能性】
【０００９】アルミで出来た締め付け金具と強化プラスチックで構成されたフィンとをガイド棒に挟み練習することで、好みのパターでスコア減を目的とする縦振り子パッティングストロークを習得できる。
【図面の簡単な説明】
【００１０】
【図１】脚部、ガイド棒、フィンを取り付けたパターの斜視全景図である。
【図２】フィンをパターシャフトに取り付けるための締めネジ、クランプ、半方位締め付け金具の斜視図である。
【図３】締めネジ、クランプ、半方位締め付け金具の断面図である。
【図４】フィンをパターシャフトに取り付けた斜視図である。
【図５】脚部を略し、フィンをガイド棒に挿入した横図である。
【図６】フィンをガイド棒に挿入し上部から見た図である。
【図７】シャフトにクランプを取り付けた拡大図である。
【図８】フィンとクランプを前方から見た図である。
【符号の説明】
【００１１】Ａ  脚部
Ｂ  ガイド棒
Ｃ  パターシャフト
Ｄ  クランプ
Ｅ  締めネジ
Ｆ  半方位締め付け金具
【図１】
0003152866.tif 000003
【図２】
0003152866.tif 000004
【図３】
0003152866.tif 000005
【図４】
0003152866.tif 000006
【図５】
0003152866.tif 000007
【図６】
0003152866.tif 000008
【図７】
0003152866.tif 000009
【図８】
0003152866.tif 000010
【手続補正書】
【提出日】平成20年10月30日(2008.10.30)
【手続補正１】
【補正対象書類名】実用新案登録請求の範囲
【補正対象項目名】全文
【補正方法】変更
【補正の内容】
【実用新案登録請求の範囲】
【請求項１】
本考案は考案者が平成５年１月１２日にパッティングストローク矯正用練習具として特許出願したＰＯ５０１１２１を改良したパッティングストローク矯正用練習具に使用するクランプの申請である。特許出願当時は独自に製造されたパターのみを使用することで考案の効果を得られたが、一般に販売されているパターに使用できなかったのでその効果を一般が習得出来なかった。そのため２本のガイド棒が作る等間隔の隙間に挟むフィンを一般に販売されているパターシャフトに、確実に取り付けるためのクランプの考案である。
【手続補正書】
【提出日】平成21年3月1日(2009.3.1)
【手続補正１】
【補正対象書類名】実用新案登録請求の範囲
【補正対象項目名】全文
【補正方法】変更
【補正の内容】
【実用新案登録請求の範囲】
【請求項１】
円弧断面を持ったクランプと円弧断面を持った半方位締め付け金具で挟んだパターシャフトを締めネジで締めることにより、フィンをパターシャフトに取り付けることを特徴とするクランプ。
【手続補正書】
【提出日】平成21年5月23日(2009.5.23)
【手続補正１】
【補正対象書類名】実用新案登録請求の範囲
【補正対象項目名】全文
【補正方法】変更
【補正の内容】
【実用新案登録請求の範囲】
【請求項１】
円弧断面を持ったクランプと円弧断面を持った半方位締め付け金具と締めネジからなるシャフトクランプであって、該クランプと該締め付け金具で挟んだパターシャフトを該締めネジで締めることにより、フィンをパターシャフトに取り付けることを特徴とするシャフトクランプ。
(57)【要約】      （修正有）【課題】容易に取り扱うことができ、迅速な治療ができる電気治療器を提供する。【解決手段】外周に導電性を有する円筒体からなる握り部１を設けた一対の把持用電極本体２、３と、一方の把持用電極本体２に電源の接地側配線４が接続され、他方の把持用電極本体３に非接地側配線５が接続される。さらに、いずれか一方の把持用電極本体の内部に電源のＯＮ−ＯＦＦスイッチ６が取付けられている。【選択図】図１
0003152831.tif 000002
【実用新案登録請求の範囲】
【請求項１】
それぞれ、外周に握り部(1) を有し、その握り部(1) が導電性の円筒体で形成された一対の把持用電極本体(2)(3)と、
一方のその把持用電極本体(2)に、電源に接続される接地側配線(4)が接続され、他方の把持用電極本体(3) にその非接地側配線(5)が接続され、
いずれか一方の把持用電極本体の内部に、電源のＯＮ−ＯＦＦスイッチ(6)が取り付けられた電気治療器。
【請求項２】
請求項１において、いずれか一方の把持用電極本体の内部に、可変電圧降圧体(7)が設けられた電気治療器。
【考案の詳細な説明】
【技術分野】
【０００１】
この考案は、例えば腰痛治療を行うことができる電気治療器に関する。
【背景技術】
【０００２】
従来、低周波の電気信号を一対の電極を介して人体に与える電気治療器が知られている。
【先行技術文献】
【特許文献】
【０００３】
【特許文献１】特開２００５−２６１６６２号公報
【特許文献２】特開２００４−２８３３３６号公報
【考案の概要】
【考案が解決しようとする課題】
【０００４】
従来の電気治療器は、その治療器の本体に接続された一対の電極を患者の腕等に貼り付け、治療器本体の電圧および周波数を適宜な値に設定し、患者の身体に通電させるものである。
このような従来の電気治療器は、電極を腕等に貼り付ける必要があり、迅速な治療が行えない欠点があった。
そこで本考案は、容易に取り扱うことができると共に、取り扱い性がよく、迅速な治療ができる電気治療器を提供することを課題とする。
【課題を解決するための手段】
【０００５】
上記課題を解決するために、請求項１に記載の本考案は、それぞれ、外周に握り部(1) を有し、その握り部(1) が導電性の円筒体で形成された一対の把持用電極本体(2)(3)と、
一方のその把持用電極本体(2)に、電源に接続される接地側配線(4)が接続され、他方の把持用電極本体(3) にその非接地側配線(5)が接続され、
いずれか一方の把持用電極本体の内部に、電源のＯＮ−ＯＦＦスイッチ(6)が取り付けられた電気治療器である。
請求項２に記載の本考案は、請求項１において、いずれか一方の把持用電極本体の内部に、可変電圧降圧体(7)が設けられた電気治療器である。
【考案の効果】
【０００６】
本考案の電気治療器は、電源の接地側配線４と非接地側配線５とにそれぞれ接続される一対の把持用電極本体２、３を有し、その外周の握り部１が導電性の円筒体で形成されているから、患者９が把持用電極本体２を把持するのみで、簡易に治療電流を身体に流すことができる。そのため、迅速な治療ができると共に、取扱い易い電気治療器となりうる。
さらに、いずれか一方の把持用電極本体２、３の内部に電源のＯＮ−ＯＦＦスイッチ６が取付けられているため、治療電流のＯＮ−ＯＦＦを迅速且つ安全に行うことができる。
【図面の簡単な説明】
【０００７】
【図１】本考案の治療器の第１の実施の形態を示し、その把持用電極本体２、３の縦断面図。
【図２】本考案の治療器の使用状態を示す説明図。
【考案を実施するための形態】
【０００８】
次に図面に基づいて本考案の実施の形態につき説明する。
図１は本考案の電気治療器の説明図であって、その把持用電極本体２、３を縦断したものである。そして、図２はこの治療器の使用状態を示す説明図である。
【０００９】
この例では、商用電源に接続される電源プラグ１１と、その電源プラグ１１に接続されたスライダックからなる可変電圧降圧体７と、その出力側にそれぞれの一端が接続される接地側配線４、非接地側配線５と、その他端が、それぞれ接続される把持用電極本体２、３とを有する。
【００１０】
この把持用電極本体２、３は導電性の円筒体であり、一例としてステンレス管、アルミニウム管、銅管からなり、その両端に一対の絶縁性のキャップ８が被嵌されている。一方の把持用電極本体２の一部には欠切部１４が形成され、そこにＯＮ−ＯＦＦスイッチ６が取付けられている。そして、そのＯＮ−ＯＦＦスイッチ６の接地側に接地側配線４の他端が接続され、ＯＮ−ＯＦＦスイッチ６の非接地側が把持用電極本体２の内面にハンダ付け等の手段によって接続端１２で接続されている。ＯＮ−ＯＦＦスイッチ６には可動片１５が設けられ、その水平移動によりスイッチがＯＮ−ＯＦＦする。他方の把持用電極本体３の内面には、絶縁性のキャップ８を貫通した非接地側配線５の他端がハンダ付け等の手段を介し、接続端１２で接続されている。
【００１１】
（作用）
先ず、ＯＮ−ＯＦＦスイッチ６の可動片１５をＯＦＦ状態にして、一例として電源プラグ１１を低周波電源である電源１３に接続する。そして、可変電圧降圧体７を変化させ、人体に危険でない適宜電圧に設定する。
図２の例は、例えば椎間板ヘルニア、所謂ギックリ腰になった患者9aに対して、気功を修得した施術士９が施術を行う状態を示している。この場合、施術士９が一方の把持用電極本体２の導電性の握り部１を片手で握る。そして空いている他方の手で患者9aの片手を握る。患者9aは空いているもう一方の手で、他方の把持用電極本体３の導電性の握り部１を握る。
次いで、施術士９の把持用電極２のＯＮ−ＯＦＦスイッチ６の可動片１５をＯＮする。すると、スライダックからなる可変電圧降圧体７の出力側に閉回路が形成され、患者9aに治療電流が通電される。そして、この状態で施術士が修得している気功によって、患者9aに対して気を入れる。この処置により、患者9aの通電電流に変化が生じる。すると、患者9aの身体的能力が向上し、治療効果が向上する。
次いで、ＯＮ−ＯＦＦスイッチ６をＯＦＦとし、治療を完了する。
【符号の説明】
【００１２】
１  握り部
２  把持用電極本体
３  把持用電極本体
４  接地側配線
５  非接地側配線
６  ON−OFFスイッチ
７  可変電圧降圧体
【００１３】
８  キャップ
９  施術者
9a  患者
10  手
11  電源プラグ
12  接続端
13  電源
14  欠切部
15  可動片
【図１】
0003152831.tif 000003
【図２】
0003152831.tif 000004
(57)【要約】      （修正有）【課題】展示会等のイベントで配布するパンフレットにメモ記入欄付き名刺入れを内蔵することで展示会等における商談を容易にするパンフレットを提供する。【解決手段】展示会等のイベントにて配布されるパンフレットに名刺フォルダーを内蔵し、その横にメモを取る事ができる記入欄を設けることによりその場にて迅速に名刺の整理が出来、また重要事項を書きとめることが可能となる。メモ記入欄の付いた該当イベント専用の名刺フォルダーの配布も同様の効果を示す。【選択図】図１
0003152897.tif 000002
【実用新案登録請求の範囲】
【請求項１】
名刺フォルダーを内蔵した展示会等のイベント用パンフレット
【請求項２】
展示会等のイベントにおいて来場者に配布する該当展示会専用メモ記入欄付き名刺フォルダー
【考案の詳細な説明】
【考案の詳細な説明】
【技術分野】
【０００１】この考案は展示会等のイベントで配布するパンフレットにメモ記入欄付き名刺入れを内蔵することで展示会等における商談を容易にするものである。
【背景技術】
【０００２】従来の展示会等のイベント用パンフレットは出展者企業の案内は記載されているが、会場にて個別に商談をした際に入手した名刺の保管は来場者が独自に行っていた為に必要な名刺の紛失や、商談相手の取り違え等の問題が発生している。
【考案が解決しようとする課題】
【０００３】展示会等のイベント会場の各ブースにおいて入手した名刺を即座に管理し、また打ち合わせの際のメモをその場で書き取れる用具を提供することを目的とする。
【課題を解決するための手段】
【０００４】展示会等のイベントにて配布されるパンフレットに名刺フォルダーを内蔵しその横にメモを取る事ができる記入欄を設けることによりその場にて迅速に名刺の整理が出来、また重要事項を書きとめることが可能となる。メモ記入欄の付いた該当イベント専用の名刺フォルダーの配布も同様の効果を示す。
【考案を実施するための形態】
【０００５】本案は以上のように展示会等のイベントにおいて、メモなどを記入できる空欄がある名刺フォルダーを内蔵したパンフレットまたは、メモ記入欄の付いた該当イベント専用の名刺フォルダーを会場内において来場者に配布する。
【考案の効果】
【０００６】本考案品により、出展者の名刺の整理が容易になり、また後日における打ち合わせ内容の確認も容易となる。また、本考案品である名刺フォルダー付きパンフレットのまま保管することで展示会における情報収集の整理が簡単に行える。
【図面の簡単な説明】
【０００７】
【図１】本考案品の概要図
【符号の説明】
【０００８】１．名刺フォルダー
２．メモ記入欄
３．展示会等のイベント用パンフレット
【図１】
0003152897.tif 000003
【手続補正書】
【提出日】平成21年5月29日(2009.5.29)
【手続補正１】
【補正対象書類名】実用新案登録請求の範囲
【補正対象項目名】全文
【補正方法】変更
【補正の内容】
【実用新案登録請求の範囲】
【請求項１】
展示会やイベント内で商談の際に取得した名刺を収納する名刺ホルダーを備えた展示会・イベント用パンフレット。
【手続補正２】
【補正対象書類名】図面
【補正対象項目名】全図
【補正方法】変更
【補正の内容】
【図１】
0003152897.tif 000004
(57)【要約】【課題】手作業で使用してもブレードの先端が作業対象面に対して常に一定の角度で接し、対象面上の全方向に向けて作業が可能で、対象面上の付着物を効果的に除去でき、摩耗しても先端が鈍くならない、単純な構造のスクレイパーを提供する。【解決手段】スクレイパーのブレードを、合成樹脂製または金属製であって中空の円錐台形状とし、ブレードの底周縁を対象面にあてて作用するブレード先端として、台形の頂にグリップを設ける。【選択図】図１
0003152900.tif 000002
【実用新案登録請求の範囲】
【請求項１】
ブレードの形状が中空円錐状または中空円錐台形状であって、その底周縁が作業対象面に作用するブレード先端であることを特徴とするスクレイパー
【請求項２】
ブレード先端が平面に対して環状の線で接することを特徴とするスクレイパー。なお、環状の線とは円形の実線だけでなく、形には多角形や星形を含み、線の種類には破線及び波線を含み、線の太さが一定であるか否かを問わないものである。
【考案の詳細な説明】
【技術分野】
【０００１】
本考案は、平滑面から付着物を除去するスクレイパーに関するものである。
【背景技術】
【０００２】
従来のスクレイパーは、金属製または合成樹脂製で平板状のブレードにグリップが付いた形状で、グリップを保持してブレード先端を対象面に対して斜めに押し当てながら動かすことにより、尖った先端が対象面と付着物の間に分け入って付着物を除去するもので、調理や清掃及び塗膜剥離などの道具として実用に供されている。
【考案の概要】
【考案が解決しようとする課題】
【０００３】
従来のスクレイパーは、ブレード先端の対象面に接する角度が一定でないため、長く使用すると摩耗で先端が鈍り、強固な付着物を除去しようとすると、先端が対象面から離れて付着物が対象面に残り、本来の作用が十分に得られない。この難点はブレードが厚いほど顕著である一方、ブレードが薄いと強度が劣る。また、手作業で角度を保ちながら強く押し当てる作業は、疲労とストレスの原因となる。本考案は、これらの問題を解決し、使いやすいスクレイパーを提供することを目的とする。
【課題を解決するための手段】
【０００４】
本考案の円形スクレイパーは、茶碗を伏せたような中空円錐台形状のブレードを特徴とし、ブレードの底周縁が作業対象面に当てる先端であり、ブレードの頂部にグリップを設けたものである。
【考案の効果】
【０００５】
円形スクレイパーのブレードは、底周縁及び水平断面が円形であるから、付着物の除去に伴う反作用である水平方向の外からの力に対して強く、比較的薄いブレードでも形状を保ちやすい。
【０００６】
円形スクレイパーを平面に押し当てて動かすと、強固な付着物に対して使用しても、ブレード先端が対象面から離れにくいので、付着物を効果的に除去する。
【０００７】
円形スクレイパーのブレードは、対象面に接する角度が一定であるから、摩耗してもブレード先端が鈍らない。
【０００８】
円形スクレイパーのブレードは、対象面上の全方向に向けて作業し得るので、平板のブレードを使用する場合と比べ、ブレードの向きと動かす方向にさほど注意を払わなくてよい。
【０００９】
円形スクレイパーを対象面に押し当てる力はブレード先端の環状の線に均等に作用し、ブレードは角張っていないので、平板のブレードのように作業中不意に力がブレード端の角に集中して対象面を傷つけるおそれがない。
【００１０】
平板のブレードを使用する場合、通常は作業幅が最大となるブレード先端に直交する方向に動かすが、強固な付着物を取り去る際などには、この幅が狭くなるオフセット方向に動かすことがある。円形スクレイパーのブレード先端は、進行方向に直面する一点を除き常にオフセット方向に向いており、付着物に対して効果的に作用する。
【図面の簡単な説明】
【００１１】
【図１】図１は円形スクレイパーの一実施例を示す斜視図である。
【考案を実施するための形態】
【００１２】
ブレードには復元力と硬性が求められるほか、使用対象を傷つけないため、対象物の材質と使用形態に応じた材料の選択が必要で、例えば、食器や調理器具に対して使うにはＰＥＴ樹脂や耐熱樹脂、自動車の窓ガラスの油膜除去にはステンレス鋼がそれぞれ材質として推奨される。
【００１３】
グリップは、指で握りながら掌で押さえるため丸餅の形状が適しており、グリップの外側には滑り止めの起伏を施してもよい。
【００１４】
ブレードとグリップの係止方法は、後述する実施例の他、ブレードの頂端を上下から挟むよう２分割したグリップの部材をブレードの円錐の中心線を通るねじ等で止める方法もある。
【実施例】
【００１５】
図１は、本考案の一実施例であって、透明ＰＥＴ樹脂製で厚さ０．５ｍｍ底径７ｃｍ頂径２ｃｍ高さ５ｃｍの中空の円錐台形のブレード及び頂経の上に連続する厚さ２ｍｍ高さ２ｃｍの円筒と、円筒の外側に刻んだ雄ねじに対応する雌ねじで係止されるポリプロピレン樹脂製で高さ２ｃｍ直径３ｃｍの丸餅型のグリップで構成された円形スクレイパーである。
【００１６】
この円形スクレイパーを、濃厚ソースが残るフライパンの底にあて、中から外に広げるように回すとソースは周りに寄せ集められ、これをブレードの内側にすくい取ると、玉杓子やターナーを用いるより簡単で、取り残しが少ない。
【００１７】
円形スクレイパーを用いて油脂や焦げ付きなどを除去すると、汚れをまとめてかき出して或いはブレードの内側に集めて捨てられるので、たわしやスポンジを用いる場合のように油や細かい欠片が目地に入り込むことがなく、洗剤の使用が少量で足り、排水に混じる油や固形物を少なくできる。
【産業上の利用可能性】
【００１８】
フライパンやホットプレートなど調理器具及び食器に用いる調理用具または汚れ落とし、風呂場の石鹸カスやアカ落とし、車の窓ガラスの油膜落としなどの家庭雑貨として、また、構造物の塗膜落としなど工具として利用できる。
【符号の説明】
【００１９】
１  ブレード
２  グリップ
【図１】
0003152900.tif 000003
【手続補正書】
【提出日】平成21年6月15日(2009.6.15)
【手続補正１】
【補正対象書類名】実用新案登録請求の範囲
【補正対象項目名】全文
【補正方法】変更
【補正の内容】
【実用新案登録請求の範囲】
【請求項１】
ブレードの形状が中空円錐状または中空円錐台形状であって、その底周縁が作業対象面に作用するブレード先端であることを特徴とするスクレイパー
(57)【要約】      （修正有）【課題】就寝時枕元などに非難用袋に入れて置くのにかさばらず、軽量であり、暗闇の中でもすばやく装着し、ガラス、釘などでけがすることなく避難が出来、また、安価で軽量であるため、複数の場所に常備できることにより、災害時に大きく寄与する火災時用安全スリッパを提供する。【解決手段】耐火性のガムテープ２を使用し、ゴム製のスリッパ底１とともに足全体を包む。災害時において、瞬時に足を保護することができ、安全な場所に避難する時間を短縮することができる。周囲の５ｍｍは、粘着力を除去し、左右同形のスリッパを挟むセロハン４をはがしやすくする。また、突起３をつけることによりよりたやすくはがすことができる。【選択図】図２
0003152896.tif 000002
【実用新案登録請求の範囲】
【請求項１】
表面に耐火処理が施されたガムテープで形成されており、左右同形のため夜間の災害時にもスムースに装着でき、安価でかつ軽量でかさばらないため非常用袋とか枕元に常備が可能となる安全スリッパ。
【考案の詳細な説明】
【技術分野】
【０００１】  本考案は、地震などの災害時に使用せられるスリッパに関する。
【考案の開示】
【考案が解決しようとする課題】
【０００２】  従来上記用途に使用される靴は存在したが、夜中に地震が発生した場合装着に時間がかかることが想定される。そこで（イ）机の下などの狭いスペースに置く事ができるようにかさばらない。（ロ）瞬時に装着できること。（ハ）ガラス等の危険物から足を保護すること。（二）火災時に避難できること。
【課題を解決するための手段】
【０００３】  本考案による災害時用安全スリッパは、表面に耐火処理がされたガムテープで形成されることにより足全体が包まれ守られること。【０００４】  緊急時に迷うことなく装着できるように左右同じ形態で粘着性のあるガムテープにてスムースに装着可能とするものである。
【実施例】
【０００５】  スリッパ底
厚さ１０ｍｍ以上のゴム製のため、災害時のガラス等危険物から足を保護することが可能。【０００６】  ガムテープ
耐火性のガムテープを使用し、ゴム製のスリッパ底とともに足全体を包む。災害時において、瞬時に足を保護することができ、安全な場所に避難する時間を短縮することができる。周囲の５ｍｍは、粘着力を除去し、左右同形のスリッパを挟むセロハンをはがしやすくする。また、突起をつけることによりよりたやすくはがすことができる。【０００７】  形状
左右同形にて災害時に迷うことなく装着が夜間でも可能。
【図面の簡単な説明】
【０００８】
【図１】  スリッパ底とガムテープ装着前の図
【図２】  使用時にセロハンをはがした図
【図３】  スリッパ底をガムテープで包んだ使用図
【符号の説明】  （１）：スリッパ底
（２）：ガムテープ
（３）：はがし口の突起
（４）：セロハン
【図１】
0003152896.tif 000003
【図２】
0003152896.tif 000004
【図３】
0003152896.tif 000005
(57)【要約】      （修正有）【課題】上着の背裏を切り替えることにより動きがよりスムーズになり見た目も美しい仕上がりになる背裏を提供する。【解決手段】背裏の裏地を脇側でパワーニットに切り替えることでより動きが良くなり見た目にも美しい。背中央ではなく両脇を切り替えることにより運動量が多くとれ、裏地をたたむことや重ねることもなく美しい仕上がりになる。【選択図】図１
0003152895.tif 000002
【実用新案登録請求の範囲】
【請求項１】
上着の背裏、脇側の部分を動きのない裏地をパワーニットで切り替えることによりスムーズな動きを持たし、かつ美くしく見える仕様です。
【考案の詳細な説明】
【技術分野】
【０００１】この考案は、上着の背裏を切り替えることにより動がよりスムーズになり見た目も美しい仕上がりになります。
【背景技術】
【０００２】背裏の脇側を動きのない裏地をパワーニットで切り替えることにより動きがスムーズになり着用感が良くなります。
【考案が解決しようとする課題】
【０００３】今までの背裏仕様は背中央にて裏地をたたみ込むか重ね合わせるのが殆どでしたからあまり多くのユトリがとれず又多くすると見た目にもあまり美しくありませんでした。
【考案の結果】
【０００４】背中央ではなく両脇を切り替えることにより運動量が多くとれ、裏地をたたむことや重ねることもなく美しい仕上がりになります。
【図面の簡単な説明】
【０００５】
【図１】考案の背裏（背抜き仕様）
【図２】考案の背裏（総裏仕様）
【図３】今までの背裏（背抜き仕様）
【図４】今までの背裏（総裏仕様）
【符号の説明】
【０００６】１０  背裏
１１  パワーニット
１２  たたみ込み
１３  重ね合わせ
１４  表地
１５  前裏
【図１】
0003152895.tif 000003
【図２】
0003152895.tif 000004
【図３】
0003152895.tif 000005
【図４】
0003152895.tif 000006
【手続補正書】
【提出日】平成21年5月21日(2009.5.21)
【手続補正１】
【補正対象書類名】実用新案登録請求の範囲
【補正対象項目名】全文
【補正方法】変更
【補正の内容】
【実用新案登録請求の範囲】
【請求項１】
上着の背裏、脇側部分を動きのない裏地をパワーニットで切り替えることにより、らくらくでスムーズな動きを特徴とした背裏。
(57)【要約】      （修正有） 【課題】繊維に直接手を触れることなく、また、比較的弱い力でも確実に紙管を支持し、着脱作業における疲弊性の改善と繊維の品質低下を解決する紙管用着脱支持器を提供する。【解決手段】作業者が片手で操作を行えるように、８及び９のグリップの握り締めによる手元操作により、先端部１の支持爪が開く器具機構となっている。グリップ８はコの字型金物６及びセンターシャフト１１を介し１と連結されており、動作連動を図っている。その結果グリップ８の握り締めが１の紙管内径側面方向への開きに対応し、且つ、角度をつけた１の先端のわずかな食い込みが、紙管を支持する安定した支持・保持力を生むため、作業者の負担を大きく軽減させる。【選択図】図３
0003152282.tif 000002
【実用新案登録請求の範囲】
【請求項１】
本体矩体部先端に開閉する支持爪を設け、当該矩体中心穴を貫通するシャフトを介して支持爪と連結するグリップ部分を設け、作業者がグリップの握り締めにより、紙管を支持・保持し紙管の着脱を行うことを特徴とする作業補助器具。
【考案の詳細な説明】
【技術分野】
【０００１】
本考案は、製布工程において、織機への給糸を行うクリールに装着する紙管の着脱作業を円滑に行う、補助器具に関する。
【背景技術】
【０００２】
従来、紙管の着脱を行う際は、素手で行っていた。
【先行技術文献】
【特許文献】
【０００３】
【特許文献１】特開２００８−２４７５０６
【考案の概要】
【考案が解決しようとする課題】
【０００４】
素手による紙管交換は、相当量の握力や腕力を必要とし、交換の数量が多くなる場合においては作業者の身体的負担が大きい。また、炭素繊維等のデリケートな繊維が巻かれた紙管の装着は、繊維に手が直接触れることが懸念され、その際繊維に毛羽立ちが発生し、著しく商品価値を低下させてしまう恐れがある。従って、本考案は、繊維に直接手を触れることなく、また、比較的弱い力でも確実に紙管を支持し、前述の着脱作業における疲弊性の改善と繊維の品質低下を解決しようとするものである。
【課題を解決するための手段】
【０００５】
本考案は、紙管着脱作業時において、図３に示すように紙管内部に器具を挿入
し、持ち手部グリップの握り締め操作により、先端部に設けた支持爪が開き紙管を内部から押圧支持する作業補助器具である。また着脱の際、本考案品を介して紙管と接触するため、紙管に巻かれている繊維に手が接触することなく作業が行うことが可能という点で問題点を解決している。
【考案の効果】
【０００６】
本考案の紙管着脱保持機によれば、紙管の着脱を作業者が容易に片手で行うこと可能であり、作業者の負担を軽減することができる。また、紙管を所定の場所へ持ち運ぶ際にも、その保持力を活かした持ち手代わりの役割を果たすことができる。
【図面の簡単な説明】
【０００７】
【図１】本考案の紙管着脱保持機を示す正面図である。
【図２】グリップ部分を、図１に示す鉛直方向より見た正面図である。
【図３】本保持機を使用して紙管を保持しようとする段階を示す断面図である。
【図４】紙管を保持した際の、本保持機の内部機構を示す断面図である。
【考案を実施するための形態】
【０００８】
本保持機は添付図、図１に示すように、大きく分けて３つの部位からなる構成と
なっている。すなわち、Ａグリップ部、Ｂ矩体部、Ｃ保持爪部である。Ａは鉄材と工業用プラスチック、Ｂは工業用プラスチック、Ｃは端部を加工した鉄材にメッキを施している。
Ａグリップ部は７コの字型金物Ｂの内側に６金物Ａを入子状に配し、６は４矩体の中心孔を通るセンターシャフト１１を介して支持爪１と連結している。従って、Ａ部におけるグリップ８、コの字金物６の変位と１の開閉運動は連動しており、８を掴んで９に引き寄せると、１先端部は開き紙管内側面に達し、内側面に僅かに食い込み、その押圧作用により紙管を支持する。
また作業者の負担を軽減するため、軽量性に配慮し４矩体は強度を兼ね備えた素材であるジュラコンを用い、側面部を一部切り欠いた形状とした。
【実施例】
【０００９】
以下添付図面に従って実施例を説明する。図３に示すように本保持機を紙管端
面より、Ｂ矩体部の底部５と紙管端部が接触するまで内部方向に挿入する。上述のように１の開閉動作は作業者の手元操作、つまり８を９に引き寄せる動作と連動している。
１の開閉動作は、支点ピン２及び支点ピン３とセンターシャフト11からなる一種のリンク機構であり、図４に示す１に設けた長穴ｂによって爪がスライドし開閉
動作を可能せしめている。
【００１０】
また、１１においては先端付近に、図３に示すバネ13をスナップリング12とワッシ
ャ14で挟みこみ、戻し機構を構築している。作業者が紙管を掴む際、手元グリップ８の握り締めにより、バネは縮められる。この状態から手を離すと、バネが元に戻ろうとする復元力が働き８は内部方向に戻され、１は元の位置まで閉じる。
【００１１】
一連の動作において、グリップの握り締めの際に、図２に示すような回転力aが発
生し、６と７が接触して動作にブレが生じる事が懸念された。そこで７側面にピン10を設け６には長穴aを空けた。この結果、固定ピン10に沿って６がスライドする機構が構築され回転によるブレは解消され、６のスムーズな上下運動を可能とした。
【００１２】
支持爪１の先端は、図４に示すように爪が紙管に接触する際、先端部のみが接
触し最小限の面積による食い込みで大きな保持力を得ることを図り、爪本体の長手方向に対して４５度の傾斜をつけたテーパー形状とした。
【符号の説明】
【００１３】
１  支持爪
２  支点ピンＡ
３  支点ピンＢ
４  本体矩体部
５  本体底部
６  コの字型金物Ａ
７  コの字型金物Ｂ                 
８  グリップＡ
９  グリップＢ
１０  固定ピン
１１  センターシャフト
１２  スナップリング
１３  戻しバネ
１４  座金
２０  紙管
【図１】
0003152282.tif 000003
【図２】
0003152282.tif 000004
【図３】
0003152282.tif 000005
【図４】
0003152282.tif 000006
(57)【要約】      （修正有）【課題】気密缶の内側に内缶を設けて、複数の食品を保存出来るようにした気密缶を提供する。【解決手段】缶１と、内缶２と、蓋３と、を含む気密缶において、前記缶は、内部に収容空間１１が形成され、前記内缶２は、前記缶の内部に嵌め設けられ、その内部には収容空間２１が形成され、その上縁には環状突起２２が形成され、その側面には前記環状突起に応じて密封リング２４を設ける係止環状溝２３が形成され、前記密封リングには排気穴が設けられ、前記蓋は、前記内缶の前記環状突起に合せられ、その側面には密封リング３２を設ける係止環状溝３１が形成され、前記密封リングには排気穴３２１が設けられる。【選択図】図１
0003152231.tif 000002
【実用新案登録請求の範囲】
【請求項１】
缶と、内缶と、蓋と、を含む気密缶において、
前記缶は、内部に収容空間が形成され、
前記内缶は、前記缶の内部に嵌め設けられ、その内部には収容空間が形成され、その上縁には環状突起が形成され、その側面には前記環状突起に応じて密封リングを設ける係止環状溝が形成され、前記密封リングには排気穴が設けられ、
前記蓋は、前記内缶の前記環状突起に合わせられ、その側面には密封リングを設ける係止環状溝が形成され、前記密封リングには排気穴が設けられることを特徴とする、気密缶。
【考案の詳細な説明】
【技術分野】
【０００１】
本考案は、気密缶に関し、特に、気密缶の使用数を大幅に減少することができ、使用の可能性が増加する気密缶に関するものである。
【背景技術】
【０００２】
空気に含有する水分により、食品が変質し、更に、カビが生える。また、食品、調味料や食品添加物などは一回で使い尽くすことができないので、どのようにこれらを保存することが解決しなければならない課題になる。一般の食品などの新鮮度を保持する方法は、容器に食品などを入れた後、これらを冷蔵庫に入れることである。しかし、このような方法は、全てのものの新鮮度を保持できる方法ではないため、食品などを空気から隔離する気密缶が開発されて市販している。このような気密缶によれば、食品などの水分による変質を防止することができ、ゴキブリやアリなどの食品などへの侵入を防止することもできる。
【０００３】
従来の気密缶は、缶と、蓋と、を含み、前記蓋の底面には環状体が形成され、前記環状体の外壁面には密封リングを設ける環状溝が設けられ、前記密封リングには排気穴が形成され、前記密封リングが前記環状溝の底面に固定されるので、前記缶に前記蓋を被ったときには、前記密封リングが前記缶の内壁面に押付けられ、気密性を保つことができる。
【０００４】
しかしながら、従来の気密缶によれば、このような気密缶は一つだけの収容空間を有するので、多種の食品などを収容したい場合には、多数の気密缶を用意することが必要になり、収納にかなりのスペース（使用数）を要するという問題があった。
【考案の概要】
【考案が解決しようとする課題】
【０００５】
本考案の主な目的は、気密缶の使用数を大幅に減少することができ、使用可能性が増加する気密缶を提供することにある。
【課題を解決するための手段】
【０００６】
本考案の第１考案に記載の気密缶によると、缶と、内缶と、蓋と、を含む気密缶において、前記缶は、内部に収容空間が形成され、前記内缶は、前記缶の内部に嵌め設けられ、その内部には収容空間が形成され、その上縁には環状突起が形成され、その側面には前記環状突起に応じて密封リングを設ける係止環状溝が形成され、前記密封リングには排気穴が設けられ、前記蓋は、前記内缶の前記環状突起に合わせられ、その側面には密封リングを設ける係止環状溝が形成され、前記密封リングには排気穴が設けられることを特徴とする、気密缶である。
【考案の効果】
【０００７】
本考案の気密缶によれば、次のような効果がある。
（１）缶の内部には収容空間が形成され、内缶の内部にも収容空間が形成され、缶の上端に内缶を被ったときに、密封リングが缶の内面に押付けられ、なお、内缶の環状突起の上端に蓋を被ったときに、密封リングが内缶の環状突起の内面に押付けられ、これにより、一つの気密缶で複数の収容空間を有するので、気密缶の使用数を大幅に減少することができる。
【０００８】
（２）缶の内部には収容空間が形成され、内缶の内部にも収容空間が形成され、缶の上端には内缶が被られ、且つ内缶の上端には蓋が被られ、このように、缶に収容される食品など（例えば茶葉など）が少量に残っているときには、少量に残っている食品などを内缶に移転して、新品の食品などを缶に入れることにより、新品が少量に残っている食品などと混合することがなくなり、且つ少量に残っている食品などを先に使い尽くすこともできる。
【図面の簡単な説明】
【０００９】
【図１】本考案の分解斜視図である。
【図２】本考案の組合状態の断面図である。
【図３】本考案の組合状態の一部の拡大断面図である。
【図４】本考案の使用状態を示す模式図である。
【図５】本考案の別の使用状態を示す模式図である。
【考案を実施するための最良の形態】
【００１０】
以下、本考案の実施の形態を図面に基づいて説明する。
まず、図１を参照する。図１は本考案の分解斜視図である。本考案の気密缶は、缶１と、内缶２と、蓋３と、を含む。
【００１１】
前記缶１は、内部に収容空間１１が形成され、前記内缶２は、前記缶１の内部に嵌め設けられ、その内部には収容空間２１が形成され、その上縁には階段形状断面を有する環状突起２２が形成され、その側面には前記環状突起２２に応じて密封リング２４を設ける係止環状溝２３が形成され、前記密封リング２４には排気穴２４１が設けられ、前記蓋３は、前記内缶２の前記環状突起２２に合せられ、その側面には密封リング３２を設ける係止環状溝３１が形成され、前記密封リング３２には排気穴３２１が設けられる。
【００１２】
このように、図２及び図３に示すように、前記缶１の上端に内缶２を被ったときに、前記係止環状溝２３に設けられた前記密封リング２４が前記缶１の内面に押付けられ、なお、前記内缶２の前記環状突起２２の上端に蓋３を被ったときに、前記係止環状溝３１に設けられた前記密封リング３２が前記内缶２の前記環状突起２２の内面に押付けられる。
【００１３】
次に、図４及び図５を参照しながら本考案の使用状態を説明する。図４に示すように、前記缶１から前記内缶２を取外したと、食品などを前記缶１の収容空間１１に入れることができ、そして、図５に示すように、前記内缶２から前記蓋３を取外したと、食品などを前記内缶２の収容空間２１に入れることができる。
【００１４】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【符号の説明】
【００１５】
１：外缶
２：内缶
３：蓋
１１：収容空間
２１：収容空間
２２：環状突起
２３：係止環状溝
２４：密封リング
３１：係止環状溝
３２：密封リング
２４１：排気穴
３２１：排気穴
【図１】
0003152231.tif 000003
【図２】
0003152231.tif 000004
【図３】
0003152231.tif 000005
【図４】
0003152231.tif 000006
【図５】
0003152231.tif 000007